(57)【要約】 【課題】施工現場での工程数の大幅な増加を招くことなく貯水部内に超過水流入部を容易に形成することができる雨水貯留システムを提供する。【解決手段】貯水部１１内の水位が所定の水位を超えたときにその超過した分の雨水を流入させる超過水流入部３１を、貯水部１１内に配置された複数の案内部材２０のうちの一部で構成し、該一部の案内部材と該案内部材に隣接する他の各案内部材２０との間を仕切るために、超過水流入部３１を構成する各案内部材２０をカバー部材３３で覆う。【選択図】図３
2007277812.tif 000002
【特許請求の範囲】
【請求項１】
雨水を貯留するための貯水部と、該貯水部内に縦横上下に互いに組み合わされた複数の充填部材と、前記貯水部内の水位が所定の水位を超えたときにその超過した分の雨水を流入させる超過水流入部とを備える雨水貯留システムであって、前記超過水流入部は、該超過水流入部と前記各充填部材との間に配置された仕切り部材により仕切られており、該仕切り部材に形成された開口部を経て前記貯水部内に連通して複数の前記充填部材の中に組み込まれていることを特徴とする雨水貯留システム。
【請求項２】
雨水を貯留するための貯水部と、該貯水部内に設けられ、該貯水部内に流入した雨水に含まれる泥を溜めるための泥溜部と、互いに組み合わされ、前記貯水部内に流入した雨水に含まれる泥を前記泥溜部に向けて案内するための複数の案内部材と、前記貯水部内の水位が所定の水位を超えたときにその超過した雨水を流入させる超過水流入部とを備える雨水貯留システムであって、前記超過水流入部は、互いに組み合わされた複数の前記案内部材の中に組み込まれていることを特徴とする雨水貯留システム。
【請求項３】
前記超過水流入部は前記貯水部内に配置された複数の前記案内部材のうちの一部で構成されており、該一部の案内部材と該案内部材に隣接する他の前記各案内部材との間にはそれらの間を仕切るための仕切り部材が設けられており、該仕切り部材には前記所定の水位に対応する高さ位置に複数の流入口が形成されていることを特徴とする請求項１又は２に記載の雨水貯留システム。
【請求項４】
前記貯水部には前記超過水流入部内に流入した雨水を前記貯水部の外方に放流するための放流管が接続されており、前記超過水流入部を構成する前記各案内部材はそれぞれ前記放流管に向けて傾斜していることを特徴とする請求項１乃至３のいずれか一項に記載の雨水貯留システム。
【発明の詳細な説明】
【技術分野】
【０００１】
本発明は、雨水を貯留するための雨水貯留システムに関する。
【背景技術】
【０００２】
従来、例えば住宅地の雨水の停滞及び河川の氾濫等の防止のために、雨水を一時的に貯留するための雨水貯留システムが知られている。この雨水貯留システムは、地面を掘削することにより形成された貯水部と、貯水部内に流入した雨水に含まれる泥を溜めるための泥溜部と、雨水中の泥を泥溜部に案内するための複数の案内部材とを備える。各案内部材は、それぞれ雨水中の泥を泥溜部に案内するように互いに組み合わされている（例えば、特許文献１参照。）。
【０００３】
近年、このような雨水貯留システムでは、貯水部内の雨水の水位が所定の水位を超えたときに前記所定の水位を超えた分の雨水を流入させるための超過水流入部を、貯水部内に配置された複数の案内部材の一部に代えて設けることが提案されている。
【０００４】
この超過水流入部は、雨水貯留システムの施工時に、各案内部材を貯水部内に組み付けるに先立って、施工現場でコンクリートを打設することにより箱型に形成されている。例えば大雨時に大量の雨水が貯水部内に流入したとき、超過水流入部内に雨水を流入させることにより、貯水部から雨水が溢れ出ることを防止することができる。
【特許文献１】特許第３６６０９１７号
【発明の開示】
【発明が解決しようとする課題】
【０００５】
しかしながら、超過水流入部がコンクリートの現場打ちにより形成されていることから、貯水部内への各案内部材の組付け作業とは別にコンクリートの打設作業が必要となるため、施工現場での工程数が大幅に増加してしまい、施工時間の延長を招く。
【０００６】
そこで、本発明の目的は、施工現場での工程数の大幅な増加を招くことなく貯水部内に超過水流入部を容易に形成することができる雨水貯留システムを提供することにある。
【課題を解決するための手段】
【０００７】
上記課題を解決するために、請求項１に記載の発明は、雨水を貯留するための貯水部と、該貯水部内に縦横上下に互いに組み合わされた複数の充填部材と、前記貯水部内の水位が所定の水位を超えたときにその超過した分の雨水を流入させる超過水流入部とを備える雨水貯留システムであって、前記超過水流入部は、該超過水流入部と前記各充填部材との間に配置された仕切り部材により仕切られており、該仕切り部材に形成された開口部を経て前記貯水部内に連通して複数の前記充填部材の中に組み込まれていることを特徴とする。
【０００８】
請求項２に記載の発明は、雨水を貯留するための貯水部と、該貯水部内に設けられ、該貯水部内に流入した雨水に含まれる泥を溜めるための泥溜部と、互いに組み合わされ、前記貯水部内に流入した雨水に含まれる泥を前記泥溜部に向けて案内するための複数の案内部材と、前記貯水部内の水位が所定の水位を超えたときにその超過した雨水を流入させる超過水流入部とを備える雨水貯留システムであって、前記超過水流入部は、互いに組み合わされた複数の前記案内部材の中に組み込まれていることを特徴とする。
【０００９】
請求項３に記載の発明は、請求項１又は２に記載の発明において、前記超過水流入部は前記貯水部内に配置された複数の前記案内部材のうちの一部で構成されており、該一部の案内部材と該案内部材に隣接する他の前記各案内部材との間にはそれらの間を仕切るための仕切り部材が設けられており、該仕切り部材には前記所定の水位に対応する高さ位置に複数の流入口が形成されていることを特徴とする。
【００１０】
請求項４に記載の発明は、請求項１乃至３のいずれか一項に記載の発明において、前記貯水部には前記超過水流入部内に流入した雨水を前記貯水部の外方に放流するための放流管が接続されており、前記超過水流入部を構成する前記各案内部材はそれぞれ前記放流管に向けて傾斜していることを特徴とする。
【発明の効果】
【００１１】
請求項１に記載の発明によれば、貯水部内の水位が所定の水位を超えたときにその超過した分の雨水を流入させる超過水流入部が、該超過水流入部と各充填部材との間に配置された仕切り部材により仕切られており、該仕切り部材に形成された開口部を経て貯水部内に連通して複数の充填部材の中に組み込まれていることから、貯水部内への各充填部材の組付け作業を行うときに、その工程内で超過水流入部を充填部材に組み付けることができる。これにより、貯水部内に超過水流入部を形成するために貯水部内への各充填部材の組付け作業とは別に格別な作業を必要としないので、超過水流入部を従来のようにコンクリートの現場打ちにより形成する場合のような施工現場での工程数の大幅な増加を確実に防止することができる。従って、施工現場での工程数の大幅な増加による従来のような施工時間の延長を確実に防止することができる。
【００１２】
請求項２に記載の発明によれば、貯水部内の水位が所定の水位を超えたときにその超過した雨水を流入させる超過水流入部が、互いに組み合わされた複数の案内部材の中に組み込まれていることから、貯水部内への各案内部材の組付け作業を行うときに、その工程内で超過水流入部を案内部材に組み付けることができる。これにより、貯水部内に超過水流入部を形成するために貯水部内への各案内部材の組付け作業とは別に格別な作業を必要としないので、超過水流入部を従来のようにコンクリートの現場打ちにより形成する場合のような施工現場での工程数の大幅な増加を確実に防止することができる。従って、施工現場での工程数の大幅な増加による従来のような施工時間の延長を確実に防止することができる。
【００１３】
請求項３に記載の発明によれば、超過水流入部は貯水部内に配置された複数の案内部材のうちの一部で構成されており、該一部の案内部材と該案内部材に隣接する他の各案内部材との間にはそれらの間を仕切るための仕切り部材が設けられており、該仕切り部材には前記所定の水位に対応する高さ位置に複数の流入口が形成されていることから、貯水部内に配置された複数の案内部材のうち任意の複数の案内部材と前記他の各案内部材との間に仕切り部材を配置することにより、貯水部内に超過水流入部をより容易に形成することができる。
【００１４】
従来のようにコンクリートの現場打ちにより超過水流入部を形成する場合、施工現場毎に貯水部の大きさ及び案内部材の個数等に応じて超過水流入部の寸法合わせを行う必要があるため、超過水流入部を形成するための作業が煩雑になる。
【００１５】
これに対し、本発明によれば、超過水流入部を貯水部内に配置された複数の案内部材のうちの一部の案内部材で構成することができることから、施工現場毎に貯水部の大きさ及び案内部材の個数等に応じて超過水流入部の寸法合わせを行う必要はないので、超過水流入部を形成する作業性を確実に向上させることができる。
【００１６】
請求項４に記載の発明によれば、貯水部には超過水流入部内に流入した雨水を貯水部の外方に放流するための放流管が接続されており、超過水流入部を構成する各案内部材はそれぞれ放流管に向けて傾斜していることから、所定の水位を超えた分の雨水が超過水流入部内に流入したとき、前記雨水を超過水流入部の案内作用により放流管に案内することができるので、貯水部の外方への前記雨水の放流効率を向上させることができる。これにより、超過水流入部内が満水になることによる該超過水流入部の貯水機能の低下を確実に防止することができる。
【発明を実施するための最良の形態】
【００１７】
本発明を図示の実施例に沿って説明する。
【実施例】
【００１８】
本発明に係る雨水貯留システム１０は、図１に示すように、雨水を貯留するための貯水部１１を備える。
【００１９】
貯水部１１は、地面を掘り下げることにより形成されており、上方へ開放する凹状をなしている。貯水部１１の開口１２は、図示の例では、矩形状をなしており、該開口には、埋め戻し土１３が開口１２を覆うように設けられている。貯水部１１の底面１４は、図示の例では、矩形状をなした平坦面である。底面１４上には、例えば割栗石のような石を敷き詰めることにより基礎部１５が形成されており、該基礎部上には、例えば合成樹脂からなる防水シート１６が敷設されている。貯水部１１の側面１１ａ上には、該側面を覆う壁部材１７が設けられている。壁部材１７と貯水部１１の側面１１ａとの間には、砂利及び砕石等の埋め戻し材１８が充填されている。基礎部１５上及び側面１１ａ上への防水シート１６の設置により、貯水部１１内に貯留された雨水が基礎部１５から地中に浸透することが防止される。貯水部１１の上部１１ａには、地上から貯水部１１内に雨水を案内するための導水管１９が接続されている。
【００２０】
貯水部１１内には、該貯水部の縦横方向及び上下方向に互いに組み合わされ、貯水部１１内を充填するように配置される複数の充填部材が設けられている。前記充填部材は、図示の例では、導水管１９を経て貯水部１１内に導入された雨水中の泥を貯水部１１内の所定の位置に案内するための案内部材２０で構成されている。
【００２１】
各案内部材２０は、図２に示す例では、それぞれポリプロピレンのような合成樹脂からなり、平面がほぼ正方形をなした板部材からなる。各案内部材２０は、その四つの角部を構成する四本の柱状の連結部２１と、該連結部に固定され、水平面に対して所定の角度で傾斜する平坦な板状の傾斜板部２２とを備える。
【００２２】
各連結部２１は、図示の例では、それぞれ横断面が二等辺三角形をなした筒状をなしており、軸線が上下方向を向き且つ斜辺が各案内部材２０の内方へ向くように配置されている。各連結部２１の下端２１ａには、互いに重なり合った他の案内部材２０の対応する連結部２１の上端２１ｂに嵌合可能な嵌合部分２３が形成されている。各案内部材２０を互いに重ね合わせたときに、各案内部材２０の各連結部２１の嵌合部分２３を、他の案内部材２０の対応する各連結部２１の上端２１ｂにそれぞれ嵌合させることにより、互いに重なり合った各案内部材２０を互いに連結することができる。互いに重なり合った各案内部材２０間に、図１に示すように、両案内部材２０の連結部２１に接続可能なスペーサ部材２４を配置することにより、両案内部材２０間の間隔を調節することができる。また、各層を構成する複数の案内部材２０は、図示しない連結手段により互いに連結されている。
【００２３】
傾斜板部２２の傾斜角度は、図示の例では、泥が傾斜板部２２上に滞留することなく雨水と共に傾斜板部２２上を図２に示す矢印の方向へ容易に流れるように、５度程度に設定されている。
【００２４】
各案内部材２０は、図１及び図３に示す例では、それぞれ傾斜板部２２の傾斜が貯水部１１の基礎部１５の図で見て左側の端部に向けて下り勾配となるように、基礎部１５上に横方向及び奥行方向（図３で見て上下方向である。）に整列して配置され、更に、傾斜板部２２の高さ位置が貯水部１１の深さ方向に互いにずれるように貯水部１１の深さ方向に積層されている。これにより、貯水部１１内に導入された雨水及びそれに含まれる泥は、各案内部材２０の傾斜板部２２上を自重により順次流れ落ち、貯水部１１の基礎部１５の前記端部に向けて誘導される。
【００２５】
貯水部１１の基礎部１５の前記端部には、各案内部材２０により誘導された泥を貯留するための泥溜部２５が設けられている。泥溜部２５は、図示の例では、最下層を構成する各案内部材２０のうち基礎部１５の前記端部に沿って配置された各案内部材２０下方で基礎部１５に形成されている。泥溜部２５内に貯留された泥を除去するときは、例えば、泥溜部２５と地上とを連通する図示しない通路を地中に形成し、該通路内に図示しない吸引装置のホースを挿入し、前記吸引装置の作動により前記ホースを通して泥溜部２５内の泥を吸引することができる。
【００２６】
貯水部１１には、該貯水部内の雨水をその外部へ放流するための放流管２６が設けられている。放流管２６は、図３及び図４に示すように、貯水部１１の平面で見て右奥の隅部に設けられており、該隅部に軸線が上下方向を向くように配置された筒状の第一のマンホール２７に接続されている。第一のマンホール２７の貯水部１１の横方向で見た隣には、筒状の第二のマンホール２８が軸線を上下方向に沿わせて配置されている。第一及び第二の各マンホール２７，２８は、図示の例では、それぞれコンクリートからなり且つほぼ正方形の横断面を有する筒状をなしており、互いに対向する壁面が互いに当接するように貯水部１１内に配置されている。各マンホール２７，２８の横断面積は、各案内部材２０の平面で見た面積とほぼ等しい。これにより、貯水部１１内に配置された複数の案内部材のうちの任意の案内部材２０が配置されている場所に、該案内部材に代えて、各マンホール２７，２８をそれぞれ整合させて配置することができる。これにより、貯水部１１内への各マンホール２７，２８の配置によって各案内部材２０が貯水部１１内への配置に制限を受けることを、防止することができる。
【００２７】
各マンホール２７，２８の互いに対向する壁体２７ａ，２８ａには、それぞれ該両壁体を貫通する貫通孔２９が形成されており、両マンホール２７，２８は貫通孔２９を経て相互に連通している。
【００２８】
第二のマンホール２８の第一のマンホール２７側と反対側に位置する壁体２８ｂには、貯水部１１内の雨水を外部へ放流管２６を介して徐々に流出させるためのオリフィス孔３０が形成されている。オリフィス孔３０の口径を調節することにより、貯水部１１内からの雨水の流出量を調節することができる。
【００２９】
第一のマンホール２７の貯水部１１の内方に面する一対の壁体のうち前記壁体２７ａ以外の壁体２７ｂには、図３及び図４に示すように、後述する超過水流入部３１内に開放する開口３２が形成されている。
【００３０】
貯水部１１内に流入した雨水は、オリフィス孔３０を経て第二のマンホール２８内に徐々に流入し、管通孔２９を経て第二のマンホール２８から第一のマンホール２７内に流入し、更に、第一のマンホール２７内から放流管２６を経て例えば図示しない下水道に案内される。
【００３１】
しかしながら、例えば大雨時に貯水部１１内に大量の雨水が流入したとき、雨水が放流管２６に一気に流入すると、貯水部１１内からの放流管２６を経ての雨水の放流効率が悪くなるため、貯水部１１内への流入量が放出量よりも多くなり、雨水が貯水部１１から溢れ出てしまう。
【００３２】
そこで、本発明に係る雨水貯留システム１０には、貯水部１１内の水位が所定の水位を超えたときに、該水位を超過した分の雨水を流入させるための前記した超過水流入部３１が設けられている。
【００３３】
超過水流入部３１は、貯水部１１内の複数の案内部材２０のうちの一部の案内部材２０が配置される空間内に配置されており、これにより、貯水部１１内に配置された複数の案内部材２０の中に組み込まれている。
【００３４】
超過水流入部３１は、図示の例では、貯水部１１内に配置された複数の案内部材２０のうちの一部の複数の案内部材２０で構成されている。超過水流入部３１を構成する案内部材２０（以下、前記案内部材と称す。）は、図３に示す例では、平面で見て貯水部１１の奥行方向の奥から二番目の行を構成する各案内部材２０のうち左端の二列を除く各案内部材２０（図３に示された網掛け部分である。）で構成されている。前記案内部材２０は、図３及び図５に示すように、それぞれ傾斜板部２２の傾斜が第一のマンホール２７に向けて下り勾配となるように配置されている。
【００３５】
前記案内部材２０と該案内部材に隣接して配置された他の各案内部材２０との間には、それらの間を仕切るための仕切り部材が設けられている。
【００３６】
仕切り部材は、図示の例では、前記案内部材２０を覆うカバー部材３３で構成されている。カバー部材３３は、防水性を有する材料からなり、図６及び図７に示すように、平面が矩形状をなしたシート状の頂部３４と、該頂部の各縁部から下方へ伸びる四つのシート状の側部３５とを有し全体的に下方へ開放する箱型をなしている。カバー部材３３は、その頂部３４が前記案内部材２０をその上方から覆い且つ各側部３５が前記案内部材２０をその側方から覆うように、各側部３５をそれぞれ前記案内部材２０と前記他の案内部材２０との間に挿入して配置されている。これにより、超過水流入部３１は貯水部１１内で区画されている。各側部３５の下端３５ａは、図７に示すように、それぞれ基礎部２５に水密的に固定されている。
【００３７】
各側部３５のうち前記他の各案内部材２０に面する各側部３５の上部３５ｂには、図６及び図７に示すように、それぞれ雨水を超過水流入部３１内に流入させるための開口部である複数の流入口３６が形成されている。各流入口３６は、図示の例では、それぞれ前記他の各案内部材２０のうち最上層を構成する各案内部材２０に対応する位置に形成されている。基礎部２５からの各流入口３６の高さ位置で、貯水部１１内の最大水位が規定されている。また、前記他の各案内部材２０に面する各側部３５には、それぞれ各側部３５を補強するための補強シート３７が各流入口３６の下方に設けられている。この補強シート３７の補強作用により、外方及び内方から受ける圧力によるカバー部材３３の破損が防止される。
【００３８】
また、第一及び第二の各マンホール２７，２８側に配置された側部３５には、図６に示すように、第一のマンホール２７に形成された開口３２（図４参照。）に対応する位置で、超過水流入部３１内の雨水を第一のマンホール２７内に流出させるための流出口３８が形成されている。
【００３９】
例えば大雨時に貯水部１１内に大量の雨水が流入したとき、貯水部１１内に貯留された雨水の水位が急激に上昇する。雨水の水位が超過水流入部３１のカバー部材３３に形成された各流入口３６の高さ位置まで上昇すると、雨水は該各流入口３６を経て超過水流入部３１内に流入する。これにより、貯水部１１内の雨水の水位が各流入口３６の位置よりも上に上昇することが防止される。また、前記したように、カバー部材３３の各側部３５の下端３５ａが基礎部２５に水密的に固定されていることから、超過水流入部３１内に流入した雨水がカバー部材３３の各側部３５の下端３５ａと基礎部２５との間を経て超過水流入部３１内から流出することが防止される。
【００４０】
超過水流入部３１内に流入した雨水は、前記案内部材２０の傾斜板部２２上を第一のマンホール２７に向けて流れ、カバー部材３３に形成された流出口３８及び第一のマンホール２７に形成された開口３２を経て超過水流入部３１内から第一のマンホール２７内に流入する。
【００４１】
その後、雨水は、第一のマンホール２７に接続された放流管２６を通って例えば前記下水道に案内される。これにより、超過水流入部３１内に流入した分の雨水が第一のマンホール２７を経て放流管２６に流入するので、貯水部１１内の雨水が放流管２６に一気に流入することによる貯水部１１内からの雨水の放流効率の悪化が防止され、雨水が貯水部１１から溢れ出ることが防止される。
【００４２】
本実施例によれば、前記したように、貯水部１１内の水位が所定の水位を超えたときにその超過した分の雨水を流入させる超過水流入部３１が、貯水部１１内に配置された複数の案内部材２０の中に組み込まれていることから、各案内部材２０の相互の組合せ作業を行うときに、その工程内で超過水流入部３１を案内部材２０に組み付けることができる。
【００４３】
これにより、貯水部１１内に超過水流入部３１を形成するために貯水部１１内への各案内部材２０の組付け作業とは別に格別な作業を必要としないので、超過水流入部３１を従来のようにコンクリートの現場打ちにより形成する場合のような施工現場での工程数の大幅な増加を確実に防止することができる。
【００４４】
従って、施工現場での工程数の大幅な増加による従来のような施工時間の延長を確実に防止することができる。
【００４５】
また、前記したように、超過水流入部３１が、貯水部１１内に配置された複数の案内部材２０のうち一部の案内部材２０で構成されており、該各案内部材と該各案内部材に隣接する他の各案内部材２０との間に仕切り部材が設けられており、該仕切り部材には前記所定の水位に対応する高さ位置に複数の流入口３６が形成されていることから、貯水部１１内に配置された複数の案内部材２０のうち任意の複数の案内部材２０と前記他の各案内部材２０との間に仕切り部材を配置することにより、貯水部１１内に超過水流入部３１をより容易に形成することができる。
【００４６】
従来のようにコンクリートの現場打ちにより超過水流入部を形成する場合、施工現場毎に貯水部１１の大きさ及び案内部材２０の個数等に応じて超過水流入部の寸法合わせを行う必要があるため、超過水流入部を形成するための作業が煩雑になる。
【００４７】
これに対し、本発明によれば、超過水流入部３１を貯水部１１内に配置された複数の案内部材２０のうちの一部の案内部材２０で構成することができることから、施工現場毎に貯水部１１の大きさ及び案内部材２０の個数等に応じて超過水流入部３１の寸法合わせを行う必要はないので、超過水流入部３１を形成する作業性を確実に向上させることができる。
【００４８】
更に、前記したように、仕切り部材が超過水流入部３１を構成する各案内部材２０を覆うカバー部材３３であることから、貯水部１１内に配置された複数の案内部材２０のうち所望の案内部材２０にカバー部材３３を被せることにより、貯水部１１内に超過水流入部３１をより容易に形成することができる。
【００４９】
また、前記したように、超過水流入部３１を構成する各案内部材２０は、それぞれ傾斜板部２２の傾斜が第一のマンホール２７に向けて下り勾配となるように配置されていることから、所定の水位を超えた分の雨水が超過水流入部３１内に流入したとき、前記雨水を超過水流入部３１の案内作用により第一のマンホール２７に接続された放流管２６に案内することができるので、貯水部１１の外方への前記雨水の放流効率を向上させることができる。これにより、超過水流入部３１内が満水になることによる該超過水流入部の貯水機能の低下を確実に防止することができる。
【００５０】
本実施例では、仕切り部材がカバー部材３３で構成された例を示したが、これに代えて、例えば超過水流入部３１を構成する案内部材２０と該案内部材以外の案内部材２０との間に配置される複数の板部材で構成することができる。
【００５１】
また、本実施例では、貯水部１１内に第一及び第二のマンホール２７，２８が配置され、第一のマンホール２７に放流管２６が接続された例を示したが、第一及び第二の各マンホール２７，２８をそれぞれ不要とすることができる。この場合、放流管２６を例えば超過水流入部３１に直接接続することができ、また、第二のマンホール２８に形成されたオリフィス孔３０を例えば超過水流入部３１に形成することができる。
【００５２】
更に、本実施例では、超過水流入部３１が、貯水部１１内に配置された複数の案内部材２０のうちの一部の案内部材２０で構成された例を示したが、これに代えて、超過水流入部３１を案内部材２０以外の部材で構成することができる。この場合、超過水流入部３１を構成する構成部材の規格を、貯水部１１内への複数の案内部材２０の配置に制限を与えることなく貯水部１１内に前記構成部材を配置することができ且つ案内部材２０間に前記構成部材を組み込むことができるように、設定することができる。
【００５３】
また、本実施例では、各案内部材２０が泥を貯水部１１の基礎部１５の端部に案内するように配置された例を示したが、これに代えて、貯水部１１の基礎部１５の端部以外の箇所又は貯水部１１の基礎部１５以外の箇所に泥を案内するように、各案内部材２０を配置することができる。この場合、泥溜部２５を各案内部材２０による案内先に適宜配置することができる。
【００５４】
更に、本実施例では、各案内部材２０が基礎部１５上に横方向及び奥行方向に整列して配置され、更に、貯水部１１の深さ方向に積層された例を示したが、これに代えて、各案内部材２０を、それぞれ貯水部１１の深さ方向に積層することなく基礎部１５上に横方向及び奥行方向に整列して配置することができ、又は、基礎部１５上に横方向及び奥行方向に整列させることなく貯水部１１の深さ方向に積層するように配置することができる。
【００５５】
また、本実施例では、基礎部１５上に地中への雨水の浸透を防止するための防水シート１６が設けられた例を示したが、これに代えて、貯水部１１内に貯留された雨水を地中に徐々に浸透させるために、基礎部１５上に図示しない透水シートを設けることができる。
【００５６】
更に、本実施例では、充填部材が案内部材２０で構成された例を示したが、これに代えて、例えば貯水部１１がその周囲の土から受ける圧力により崩れることを防止すべく貯水部１１内に配置される補強部材のように案内部材２０以外の部材で充填部材を構成することができる。
【００５７】
また、本実施例では、貯水部１１が地面を掘り下げることにより形成された例を示したが、これに代えて、貯水部１１を地上に設けることができる。この場合、貯水部１１を上方へ開放する凹状の部材で構成することができる。
【図面の簡単な説明】
【００５８】
【図１】本発明に係る雨水貯留システムを概略的に示す縦断面図である。
【図２】本発明に係る案内部材を概略的に示す斜視図である。
【図３】本発明に係る雨水貯留システムを概略的に示す平面図である。
【図４】図３のI−I線に沿った縦断面図である。
【図５】図３のII−II線に沿った縦断面図である。
【図６】本発明に係るカバー部材を概略的に示す斜視図である。
【図７】図３のIII−III線に沿った縦断面図である。
【符号の説明】
【００５９】
１０  雨水貯留システム
１１  貯水部
２０  案内部材
２５  泥溜部
２６  放流管
３１  超過水流入部
３３  仕切り部材（カバー部材）
【図１】
2007277812.tif 000003
【図２】
2007277812.tif 000004
【図３】
2007277812.tif 000005
【図４】
2007277812.tif 000006
【図５】
2007277812.tif 000007
【図６】
2007277812.tif 000008
【図７】
2007277812.tif 000009